(57)【要約】【課題】低コストで製作可能な、２色以上の多色印刷又はフルカラー印刷により名入れがされた卓上カレンダーを提供する。【解決手段】カレンダー用紙群２１が台座１２にリング２５を介して回動可能に綴じられた卓上カレンダー本体１１と、前記卓上カレンダー本体１１とは別個に２色印刷以上の多色印刷又はフルカラー印刷により名入れが行われた名入れプレート３１と、を有し、前記名入れプレート３１が前記台座１２に貼付されてなる。名入れプレート３１は、基材３２がシート材又は板材であり、皺にならずまた台座１２に貼付する際に皺が入らない。【選択図】図１
0003212499.tif 000002
【実用新案登録請求の範囲】
【請求項１】
カレンダー用紙群が台座に回動可能に綴じられた卓上カレンダー本体と、
前記卓上カレンダー本体とは別個に印刷により名入れが行われた名入れプレートと、
を有し、
前記名入れプレートが前記台座に貼付されてなる卓上カレンダー。
【請求項２】
前記名入れプレートの基材は、シート材又は板材であり、皺にならずまた前記台座に貼付する際に皺が入らないことを特徴とする請求項１に記載の卓上カレンダー。
【請求項３】
前記名入れプレートへの名入れが、２色印刷以上の多色印刷又はフルカラー印刷により行われていることを特徴とする請求項１又は２に記載の卓上カレンダー。
【請求項４】
前記卓上カレンダー本体に代えて、卓上カレンダー本体が、枠体内にカレンダー用紙群を立て掛けるように差し込むタイプの卓上カレンダーであり、
前記台座に代えて、前記名入れプレートが前記枠体に貼付されていることを特徴とする請求項１から３のいずれか１項に記載の卓上カレンダー。
【考案の詳細な説明】
【技術分野】
【０００１】
本考案は、卓上カレンダーに関する。
【背景技術】
【０００２】
卓上カレンダーは、月単位で印刷された月めくりカレンダーを捲ることが可能なようにリングを介して台座に綴じられたもの、月めくりカレンダーを写真立てのような自立可能な枠内に立て掛け、該当月のカレンダーが表面となるように順次差し替えるものなどが一般的である。以降、前者をリング綴じ型卓上カレンダー、後者を枠型卓上カレンダーと呼ぶ。
【０００３】
卓上カレンダーには、リング綴じ型卓上カレンダー、枠型卓上カレンダー以外にも、カレンダーをスタンドに立て掛けるタイプの卓上カレンダー（例えば特許文献１参照）、ノート又は手帳としても利用可能なノートカレンダーとも呼ばれる卓上カレンダーがある（例えば特許文献２）。
【０００４】
卓上カレンダーは、販売促進用のグッズとして利用されることも多く、この場合、リング綴じ型の卓上カレンダーであれば台座に、枠型の卓上カレンダーであれば枠に社名、電話番号等が印刷された上で顧客に配布される。台座等に社名、電話番号等を入れることは、通常、名入れと呼ばれる。
【０００５】
卓上カレンダーへ名入れを行う場合、５００部程度までの小ロットの場合、箔押し、シルク印刷等による１色名入れが主流である。２色以上の多色印刷又はフルカラー印刷は、コストも高く納期も長くなるため、現在、小ロットの名入れには殆ど採用されていない。
【０００６】
特許文献３及び特許文献４では、枠型の卓上カレンダーの枠体に直接印刷により名入れを行うと手間がかかり、コスト的にも不利であるとし、表示板に名入れを行い、表示板の裏に嵌合突起、枠体に嵌合穴を設けこれらを嵌合し固定する方法、紙等に名入れを行い、これを枠体と透明プレートとで挟み込み固定する方法が提案されている。
【先行技術文献】
【特許文献】
【０００７】
【特許文献１】実用新案登録第３１８００４９号公報
【特許文献２】特開２０１５−１０１００３号公報
【特許文献３】特開２０００−１７７２７０号公報
【特許文献４】特開平１１−５９０１７号公報
【考案の概要】
【考案が解決しようとする課題】
【０００８】
特許文献３及び特許文献４に記載の方法は、枠体に直接名入れのための印刷を行わないため印刷コストは低く抑えることができるが、名入れを行った表示板又は紙と枠体とを結合するための構造が複雑であり、部品数も多くなりこの部分がコスト高となる。
【０００９】
本考案の目的は、低コストで製作可能な、２色以上の多色印刷又はフルカラー印刷により名入れがされた卓上カレンダーを提供することである。
【課題を解決するための手段】
【００１０】
本考案は、カレンダー用紙群が台座に回動可能に綴じられた卓上カレンダー本体と、前記卓上カレンダー本体とは別個に印刷により名入れが行われた名入れプレートと、を有し、前記名入れプレートが前記台座に貼付されてなる卓上カレンダーである。
【００１１】
本考案の卓上カレンダーにおいて、前記名入れプレートの基材は、シート材又は板材であり、皺にならずまた前記台座に貼付する際に皺が入らないことを特徴とする。
【００１２】
また本考案の卓上カレンダーは、前記名入れプレートへの名入れが、２色印刷以上の多色印刷又はフルカラー印刷により行われていることを特徴とする。
【００１３】
また本考案の卓上カレンダーは、前記卓上カレンダー本体に代えて、卓上カレンダー本体が、枠体内にカレンダー用紙群を立て掛けるように差し込むタイプの卓上カレンダーであり、前記台座に代えて、前記名入れプレートが前記枠体に貼付されていることを特徴とする。
【考案の効果】
【００１４】
本考案によれば、低コストで製作可能な、２色以上の多色印刷又はフルカラー印刷により名入れがされた卓上カレンダーを提供することができる。
【図面の簡単な説明】
【００１５】
【図１】本考案の第１実施形態の卓上カレンダー１の構成を示す分解斜視図である。
【図２】本考案の第１実施形態の卓上カレンダー１の斜視図である。
【図３】本考案の第１実施形態の卓上カレンダー１で使用可能な他の名入れシート３１の正面図である。
【考案を実施するための形態】
【００１６】
図１は、本考案の第１実施形態の卓上カレンダー１の構成を示す分解斜視図、図２は、本考案の第１実施形態の卓上カレンダー１の斜視図である。
【００１７】
本考案の第１実施形態の卓上カレンダー１は、側面視が三角形の自立可能な卓上カレンダー本体１１と、社名あるいは店舗名、住所、電話番号等が記載された名入れプレート３１とを含み、名入れプレート３１が卓上カレンダー本体１１の台座１２に貼付されてなる。
【００１８】
卓上カレンダー本体１１は、従来からある公知の卓上カレンダーと同様の構成からなり、側面視が三角形の筒状の台座１２にカレンダー用紙群２１がリング２５を介して回動可能に綴じられたリング綴じ型卓上カレンダー、あるいは三角スタンド型卓上カレンダーと呼ばれるものである。
【００１９】
台座１２は、表部１３、底部１４、裏部１５を有し、表部１３と裏部１５との間に底部１４が挟まれるように配置され、厚手の紙で一体的に形成されている。表部１３と底部１４、底部１４と裏部１５との境界には折り目１６、１７が、表部１３の上部及び裏部１５の上部には、リング２５が嵌り込む綴じ孔１８が設けられている。
【００２０】
台座１２は、表部１３の上部及び裏部１５の上部とを合わせ、各々の綴じ孔１８にリング２５が嵌め込まれ、側面視が三角形の筒状に形作られている。また台座１２は、底部１４に底部１４を２分する折り目１９が長手方向に設けられており、これにより冊子状に折り畳むことが可能である。
【００２１】
カレンダー用紙群２１は、月単位で日付、曜日等の暦情報が記載された月めくりカレンダー用紙１２枚と、１枚の表紙及び１枚の保護用シートの計１４枚で構成される。カレンダー用紙群２１は、素材がいずれも紙であり、上部に綴じ孔２２が設けられている。このカレンダー用紙群２１は、台座１２の表部１３に重ねられた状態で綴じ孔２２にリング２５が挿通され、リング２５を起点に回動自在に台座１２に綴じられている。
【００２２】
卓上カレンダー本体１１は、カレンダー用紙群２１の上下方向の長さが、台座１２の表部１３の上下方向の長さに比較して短く設定され、台座１２の表部１３の下部に名入れ用のスペースＡが設けられている。従来の卓上カレンダーでは、このスペースＡに直接、社名等が印刷され名入れが行われるが、本卓上カレンダー１では、このスペースＡに名入れプレート３１が貼付されることで名入れが行われる。
【００２３】
名入れプレート３１は、社名、電話番号、ロゴマーク等が印刷されたプレートである。本実施形態の名入れプレート３１では、店舗名等が印刷されているが、社名あるいは店舗名、電話番号等ともにロゴマーク等が印刷されたものであってもよい。なお名入れプレートは、広告機能を発揮することから広告プレート、広告掲載プレートと呼ぶこともできる。
【００２４】
名入れプレート３１は、基材３２が透明なＰＥＴ（ポリエチレンテレフタレート）からなるシートであり、短冊状の形状を有し、基材３２の表面に直接、店名、住所等が印刷されている。貼付前の基材３２の裏面には粘着剤（図示省略）、さらには粘着剤を保護する剥離紙３３が取付けられている。
【００２５】
基材３２の素材は、ＰＥＴに限定されるものではなく、他の合成樹脂、合成紙、紙、金属、木等であってもよい。また基材３２の厚さも特定の厚さに限定されるものではない。
但し、名入れプレート３１には、皺にならずまた台座１２に貼付する際に皺が入らず簡単に貼付できるものを用いる。このため基材３２がフィルム状のものは好ましくなくい。例えば、合成樹脂性の基材３２であれば厚さが大凡０．２５ｍｍ以上であれば皺にならず、また台座１２に貼付する際に皺が入らず簡単に貼付できる。
【００２６】
基材３２への印刷方法は、特に限定されるものではないが、例えば基材３２がＰＥＴシートであればＵＶインクジェット印刷により光沢に優れる名入れプレート３１を得ることができる。ＵＶインクジェット印刷は、版を必要としないため小ロットの２色印刷以上の多色印刷、フルカラー印刷を低コストで実現できる。
【００２７】
店舗名等が印刷された名入れプレート３１は、台座１２のスペースＡの部分に貼付される。名入れプレート３１は、フィルム状のシールなどと異なり柔軟性に乏しいため、皺にならずまた台座１２に貼付する際に皺が入らずスピーディかつきれいに貼付できる。
【００２８】
以上のように卓上カレンダー１は、卓上カレンダー本体１１の台座１２に直接、印刷により名入れを行うのではなく、別途、製作された名入れ済の名入れプレート３１を卓上カレンダー本体１１の台座１２に貼付することにより名入れされた卓上カレンダー１を製作する。
【００２９】
このような卓上カレンダー１は、シート状の名入れプレート３１を用い、これに印刷により名入れを行うため、２色印刷以上の多色印刷、フルカラー印刷を低コストで実現できる。また名入れプレート３１は、皺にならずまた台座１２に貼付する際に皺が入らないので簡単にかつきれいに貼付できる。以上により小ロットの卓上カレンダー１であれば、フルカラー印刷により直接、台座１２に名入れを行う卓上カレンダーに比較し、１／１０程度のコストで製作することができる。
【００３０】
また本考案の卓上カレンダーは、名入れに卓上カレンダー本体１１とは別に製作された名入れプレート３１を使用するため、卓上カレンダーの台座１２に直接、印刷し名入れを行う方法に比較して、装飾性、デザイン性に優れる卓上カレンダーを製作することができる。
【００３１】
本考案の卓上カレンダーにおいて、名入れプレート３１は、皺にならずまた貼付する際に皺が入らない、２色印刷以上の多色印刷又はフルカラー印刷が可能であれば基材を自由に選択することができる。このため基材の素材の選択により装飾性、デザイン性を高めることができる。また名入れプレート３１の形状により装飾性、デザイン性を高めることもできる。
【００３２】
図３は、本考案の卓上カレンダー１の名入れプレート３１として使用可能な他の名入れプレートである。図３（ａ）に示す名入れプレート３１は、周縁を波形にすることでデザイン性を高めている。図３（ｂ）に示す名入れプレート３１は、両サイドを山型にすることでデザイン性を高めている。また図３（ｃ）に示す名入れプレート３１は、両サイドを半円形状にすることでデザイン性を高めている。もちろん名入れプレート３１の外観形状がこれ以外のものであってもよい。
【００３３】
以上、第１実施形態の卓上カレンダー１を用いて、本考案の卓上カレンダーを説明したが、本考案の卓上カレンダーは、上記実施形態に示す卓上カレンダーに限定されるものではない。例えば、第１実施形態の卓上カレンダー１では、台座１２の表部１３の下部のスペースＡに名入れプレート３１を貼付することで名入れを行ったが、台座１２の表部１３の右側、左側にスペースがあれば、スペースＡに代えて、又はスペースＡと共にそのスペースに名入れプレート３１を貼付し名入れを行ってもよい。
【００３４】
また卓上カレンダー本体の型式もリング綴じ型卓上カレンダーに限定されるものでない。枠型卓上カレンダーなど幅広い卓上カレンダーに適用することができる。枠型卓上カレンダーであれば、枠体の表部に名入れプレートを貼付すればよい。このように本考案の卓上カレンダーは、卓上カレンダー本体に名入れ前の既製品の卓上カレンダーのほぼ全種類を利用することができる。また卓上カレンダー本体は、日めくりの卓上カレンダーであってもよい。
【００３５】
第１実施形態の卓上カレンダー１では、名入れプレート３１は粘着材を介して台座１２に貼付されるが、印刷により名入れされた名入れプレート３１を接着材で貼付してもよい。
【００３６】
名入れプレートは、基材の厚さが０．２〜１ｍｍ程度のシート材、板材を基本とするが、装飾性を高めるため厚さが２〜１０ｍｍ程度あるような基材を使用してもよい。このような名入れプレートであっても、卓上カレンダー本体に貼付する前に名入れ用の印刷を行うため２色印刷以上の多色印刷又はフルカラー印刷された名入れプレートを安価に製作することができる。
【００３７】
また当業者であれば、本明細書を見て、自明な範囲内で種々の変更及び修正を容易に想定するであろう。従って、そのような変更及び修正は、請求の範囲から定まる考案の範囲内のものと解釈される。
【符号の説明】
【００３８】
１  卓上カレンダー
１１  卓上カレンダー本体
１２  台座
２１  カレンダー用紙群
３１  名入れプレート
３２  基材
Ａ  名入れ用スペース
【図１】
0003212499.tif 000003
【図２】
0003212499.tif 000004
【図３】
0003212499.tif 000005